(57)【要約】      （修正有）【課題】カッタウェイが形成された弦楽器の音色をカッタウェイが形成されていない弦楽器の音色に近づけることを可能とする技術を提供する。【解決手段】ギターの胴体にはカッタウェイ１００が形成されている。胴体を構成する裏板１３に固定される複数の桟１４＿１〜１４＿４の木目は、当該桟の長手方向に対して２０°前後傾斜した方向に延びている。長手方向に対して木目が傾斜した桟１４＿１〜１４＿４を、裏板１３に固定することにより、当該桟による裏板１３の剛性への寄与の度合いを、長手方向に対して木目が平行に延びた桟を固定する場合に比べて減少させることが可能となる。【選択図】図２
2017090861.tif 000002
【特許請求の範囲】
【請求項１】
カッタウェイが形成された胴体の裏板に固定される桟を、当該桟の長手方向に対して木目が傾斜するように形成したことを特徴とする弦楽器。
【請求項２】
前記桟の長手方向に対する木目の傾斜角度は、１０〜３０°であることを特徴とする請求項１に記載の弦楽器。
【請求項３】
前記桟は、前記裏板の幅方向に対して平行に固定されていることを特徴とする請求項１または２に記載の弦楽器。
【請求項４】
カッタウェイが形成された胴体の裏板に固定される桟に、当該桟の長手方向に対して所定の角度だけ傾斜した溝が設けられていることを特徴とする弦楽器。
【発明の詳細な説明】
【技術分野】
【０００１】
本発明は、胴体にカッタウェイが形成された弦楽器に関する。
【背景技術】
【０００２】
ギター等の弦楽器では、ハイポジションで演奏するときの演奏性を向上させるために、胴体におけるネックとの接続部付近にカッタウェイが形成される場合がある。
【先行技術文献】
【非特許文献】
【０００３】
【非特許文献１】“Wood& Steel”, Volume 78 Winter 2014, p.15, Taylor guitars
【発明の概要】
【発明が解決しようとする課題】
【０００４】
しかし、ギターの胴体にカッタウェイが形成されると、裏板の固有振動数が高くなり、撥弦時にカッタウェイのないギターと同じような音色が得られない場合があった。
【０００５】
この発明は、以上説明した事情に鑑みてなされたものであり、カッタウェイのある弦楽器の音色をカッタウェイのない弦楽器の音色に近づけることを可能とする技術を提供することを目的とする。
【課題を解決するための手段】
【０００６】
ギターの胴体の裏板には強度（剛性）確保のために複数の桟（一般的には横桟）が固定されている。ここで、カッタウェイのあるギターでは、その胴体に形成されたカッタウェイの分だけ裏板等の面積が減る。この結果、桟により高められた裏板の剛性がさらに高くなり、裏板の固有振動数が高くなる。カッタウェイのあるギターにおいて、裏板の固有振動数を低くするには、上記桟による裏板の剛性への寄与の度合いを減少させる必要がある。
【０００７】
そこで本発明は、カッタウェイが形成された胴体の裏板に固定される桟を、当該桟の長手方向に対して木目が傾斜するように形成したことを特徴とする弦楽器を提供する。
【０００８】
本発明によれば、長手方向に対して木目が傾斜した桟が、カッタウェイが形成された胴体の裏板に固定されるため、当該桟による裏板の剛性への寄与の度合いが、長手方向に対して木目が平行に延びた桟を固定する場合に比べて減少する。このため、カッタウェイのない弦楽器の裏板の固有振動数に対する、カッタウェイのある弦楽器の裏板の固有振動数の上昇度合いが小さくなる。したがって、カッタウェイのある弦楽器の音色をカッタウェイのない弦楽器の音色に近づけることができる。
【０００９】
また、本発明によれば、次のような効果も得られる。従来、カッタウェイのないギターでは、桟は、その長手方向を裏板の幅方向（ネックに垂直な方向）に一致させて裏板に固定されていた。これに対し、非特許文献１に示すカッタウェイのあるギターでは、桟は、その長手方向を裏板の幅方向に対して斜めにして裏板に固定されている。このため、当該桟が固定された裏体の固有振動数は、長手方向を裏板の幅方向に一致させた桟が固定された裏板の固有振動数よりも小さくなっている。
【００１０】
上記斜めの固定態様を採用した場合、裏板の振動分布の左右対称性（ギターのネックを対称軸とした対称性）が崩れ、カッタウェイが形成されていないギターと同じような音色が得られなくなる。しかし、本願発明では、上記斜めの固定態様をとる必要はなく、上記問題が生じることはない。
【図面の簡単な説明】
【００１１】
【図１】本発明の一実施形態であるギター１の胴体１０の構成を示す斜視図である。
【図２】同実施形態における裏板１３の内面側を示す正面図である。図である。
【図３】同実施形態における桟１４＿１の裏板１３への固定態様を示す斜視図である。
【図４】他の実施形態における桟１４Ａ＿１〜１４Ａ＿４が固定された裏板１３の内面側を示す正面図である。
【発明を実施するための形態】
【００１２】
図１は、本発明の一実施形態であるギター１の構成を示す斜視図である。ギター１は、中空状の胴体を有するギター（例えば、アコースティックギター）である。図１に示すように、ギター１は、胴体１０と、ネック２０と、弦３０とを有する。胴体１０は、表板１１と、側板１２と、裏板１３とを有する。胴体１０におけるネック２０との接続部付近にはカッタウェイ１００が形成されている。カッタウェイ１００は、ハイポジションで演奏するときの演奏性を向上させるためのものである。以下の説明では、ネック２０に平行な方向および垂直な方向を、それぞれ裏板１３の長手方向および幅方向と呼ぶ。
【００１３】
表板１１と裏板１３は、木材を所定の形状に裁断した平板材で構成される。表板１１と裏板１３は、各々略同一の形状を有し、所定の間隔をあけて対向する。側板１２は、表板１１および裏板１３の外形に沿う形状に成形された帯状の板材であり、表板１１および裏板１３の各々の周縁を全周にわたり相互に連結する。上記各板で囲まれた空間は、弦３０の振動に共鳴する音響空間となっている。
【００１４】
図２は、裏板１３の内面側を示す正面図である。図２に示すように、裏板１３の内面側には、桟１４＿１〜１４＿４が、例えば接着剤により接着されている。桟１４＿１〜１４＿４は、柾目板を棒状に裁断した棒状部材であり、裏板１３の強度（剛性）確保のための補強部材として機能する。図３は、桟１４＿１の裏板１３への固定態様を示す斜視図である。図３に示すように、桟１４＿１は、その柾目面が裏板１３の板面と平行となるように裏板１３に固定されている。桟１４＿２〜１４＿４の裏板１３への固定態様についても同様である。
【００１５】
桟１４＿１〜１４＿４は、いわゆる横桟であり、その長手方向を裏板１３の幅方向と一致させ、各々略等間隔で裏板１３の長手方向各部に固定されている。桟１４＿１〜１４＿４の長さは、その固定位置における裏板１３の幅と略同一である。桟１４＿１の両端部は、薄く削り落とされており、その厚さ（裏板１３の板面に垂直な方向の厚さ）は、その中央付近に比べて薄くなっている。
【００１６】
本実施形態では、桟１４＿１〜１４＿４を、当該桟の長手方向に対して木目が傾斜するように形成しており、その木目は、桟の長手方向に対して所定の角度だけ傾斜した方向（裏板１３の長手方向下方）に延びている。図中に示す例では、各桟の長手方向に対する木目の傾斜角度は、２０°前後となっている。
以上が本実施形態におけるギター１の構成である。
【００１７】
裏板１３には、撥弦時に、その周囲を固定端とする固有振動が発生する。この場合、裏板１３の固有振動数は、裏板１３の剛性（変形し難さ）および形状等に応じて定まる。
【００１８】
胴体１０にカッタウェイ１００が形成されると、その分だけ裏板等の面積が減るため、裏板１３の剛性が高くなる。
【００１９】
また、裏板に桟を固定すると、裏板の剛性がさらに高くなる。桟による裏板の剛性への寄与は、当該桟の木目の方向に応じて定まる。一般に、柾目板の木目方向（繊維方向）の剛性は、これに直交する方向の剛性よりも高い。従って、図２に示すように、裏板の幅方向に対して平行に桟を固定する態様では、当該桟の長手方向に延びる木目の割合が大きくなるほど、当該桟による裏板の剛性（裏板の幅方向の応力に対する剛性）への寄与が大きくなり、これに直交する方向に延びる木目の割合が大きくなるほど、上記寄与が小さくなる。
【００２０】
このように裏板１３の剛性が高くなると、何ら策を講じないと、裏板の固有振動数が高くなり、撥弦時にカッタウェイが形成されていないギターと同じような音色が得られない。
【００２１】
しかしながら、本実施形態では、長手方向に対して所定の角度だけ傾斜した方向に木目が延びた桟１４＿１〜１４＿４が用いられる。このため、桟１４＿１〜１４＿４の長手方向に延びる木目の割合が減少し、桟１４＿１〜１４＿４による裏板１３の剛性（裏板１３の幅方向の応力に対する剛性）への寄与の度合いが、長手方向に対して平行に木目が延びた桟を固定する場合に比べて減少する。従って、カッタウェイ１００がないとした場合のギター１の裏板１３の固有振動数に対する、カッタウェイ１００のあるギター１の裏板１３の固有振動数の上昇度合いが小さくなる。
【００２２】
また、本実施形態では、桟１４＿１〜１４＿４が、その長手方向を裏板１３の幅方向と一致させた状態で固定されるため、従来技術のように裏板１３の振動分布の左右対称性（ギター１のネック２０を対称軸とした対称性）が崩れることはない。
【００２３】
以上より、本実施形態によれば、カッタウェイが形成されたギターの音色をカッタウェイが形成されていないギターの音色に近づけることができる。
【００２４】
＜他の実施形態＞
以上、この発明の各実施形態について説明したが、この発明には他にも実施形態が考えられる。例えば、以下の通りである。
【００２５】
（１）上記実施形態では、本発明のギターへの適用例について示したが、ギター以外の弦楽器に本発明を適用してもよい。例えば、ウクレレ等のような他の撥弦楽器やヴァイオリンやチェロ等のような擦弦楽器に本発明を適用してもよい。
【００２６】
（２）上記実施形態において、桟１４＿１〜１４＿４に、その長手方向に対して所定の角度だけ傾斜した溝を設けてもよい。図４は、桟１４Ａ＿１〜１４Ａ＿４が固定された裏板１３の内面側を示す正面図である。図４に示すように、桟１４Ａ＿１〜１４Ａ＿４の板面には、複数の溝１４１が設けられている。図中に示す例では、桟１４Ａ＿１〜１４Ａ＿４の長手方向に対する溝１４１の傾斜角度は、２０°前後となっている。これにより、溝１４１を形成する桟の木目の方向にかかわらず、桟１４Ａ＿１〜１４Ａ＿４の長手方向の剛性（桟１４Ａ＿１〜１４Ａ＿４の長手方向の応力に対する剛性）が低くなり、上記実施形態と同様の効果が得られる。また、この態様によれば、桟１４Ａ＿１〜１４Ａ＿４の木目の有無にかかわらず、桟１４Ａ＿１〜１４Ａ＿４の長手方向の剛性が低くなる。従って、例えば、溝１４１を樹脂製の桟（木材以外の部材で構成された桟）に設けた場合にも、上記実施形態と同様の効果が得られる。
【００２７】
（３）上記実施形態における桟１４＿１〜１４＿４の木目は、当該桟の長手方向に対して所定の角度だけ裏板１３の長手方向下方に傾斜していたが、傾斜方向を裏板１３の長手方向上方としてもよい。変形例（２）の溝についても同様である。また、傾斜方向を下方とした桟と傾斜方向を上方とした桟を裏板１３に固定してもよい。また、傾斜方向が下方である領域と傾斜方向が上方である領域の両方を併せ持った桟を構成してもよい。
【００２８】
（４）上記実施形態における桟１４＿１〜１４＿４の木目は、当該桟の長手方向に対して２０°前後の角度をなしていたが、傾斜角度を１０〜３０°の範囲内で適宜変更してもよい。変形例（２）の溝についても同様である。この場合、傾斜角度を大きくするほど裏板１３の剛性（裏板１３の幅方向の応力に対する剛性）が低くなり、裏板１３の固有振動数を上記実施形態よりも低くすることができる。しかし、傾斜角度を大きくすると、裏板１３の振動分布の左右対称性が崩れるため、過度に大きくしないことが望ましい。
【００２９】
（５）上記実施形態では、裏板１３に固定される全ての桟に本発明を適用したが、いずれかの桟に本発明を適用してもよい。変形例（２）の溝についても同様である。例えば、側板１２が固定されているカッタウェイ１００周辺部の裏板１３の剛性は、他の部分（例えば、裏板中央部）よりも高いため、カッタウェイ１００に最も近い位置に固定される桟１４＿１のみに本発明を適用してもよい。
【００３０】
（６）上記実施形態において、桟１４＿１〜１４＿４を木材以外の部材で構成してもよい。ただし、この場合、木材（柾目板）のように一定方向に繊維が配向した繊維部材で桟を構成する必要がある。
【００３１】
（７）上記実施形態において、桟１４＿１〜１４＿４は、その柾目面が裏板１３の板面と平行となるように裏板１３に固定されていたが、裏板１３の板面と垂直となるように桟１４＿１〜１４＿４を裏板１３に固定してもよい。この場合も、上記実施形態と同様の効果が得られる。
【符号の説明】
【００３２】
１…ギター、１０…胴体、１１…表板、１２…側板、１３…裏板、１４＿１〜１４＿４、１４Ａ＿１〜１４Ａ＿４…桟、１４１…溝、２０…ネック、３０…弦、１００…カッタウェイ。
【図１】
2017090861.tif 000003
【図２】
2017090861.tif 000004
【図３】
2017090861.tif 000005
【図４】
2017090861.tif 000006